(57)【要約】【課題】患部における放射線ビームの輪郭の精度が高いマルチリーフコリメータ及びそれを用いた放射線治療装置を提供する。【解決手段】各リーフ対４１ａ、４１ｂがＶ字断面形状になるように配置されているので、マルチリーフコリメータ４０を傾斜配置してもマルチリーフコリメータ４０と患者４とが干渉することが少なくなり、その分だけより患者４に接近することができる。この結果、マルチリーフコリメータ４０と患部４との間の距離が従来より短くなるので、放射線ビームの拡がりによる輪郭のぼやけが少なくなる。リーフ対４１ａ、４１ｂの外側にリーフ対４１ａ、４１ｂ間の隙間を覆うように外側リーフ対４２ａ、４２ｂをずらして配置することにより、開口部の形状をより精密に患部４ａの形状に合わせることができ、放射線ビームの遮蔽性が向上する。【選択図】　　　　図１
2004016563.tif 000002
【特許請求の範囲】
【請求項１】
放射線治療装置の照射野形成装置に用いられるマルチリーフコリメータにおいて、上記照射野形成装置の放射線ビームの出射側に外側に向かって斜めに突き合うと共にＶ字断面形状となるように積層配置された複数対のリーフと、各リーフ対が互いに離れる方向に移動できるように案内する複数対のガイドと、各リーフをそれぞれ個別に移動させて患者の患部の形状に合わせた開口部を形成するためのリーフ移動手段とを備えたことを特徴とするマルチリーフコリメータ。
【請求項２】
上記リーフ対の外側に、上記リーフ対に沿ってＶ字断面形状となると共に上記リーフ対の列に対してずれるように積層配置された複数対の外側リーフと、各外側リーフ対が互いに離れる方向に移動できるように案内する複数対の外側ガイドと、各外側リーフをそれぞれ個別に移動させて上記リーフ対と共に患者の患部の形状に合わせた開口部を形成するための外側リーフ移動手段とを有する請求項１に記載のマルチリーフコリメータ。
【請求項３】
放射線ビームを発生する発生手段と、該発生手段からの放射線ビームを患者の近傍まで案内する案内手段と、該案内手段の出射側に設けられ上記放射線ビームを上記患者の患部の形状に合わせた形状、深度、照射エネルギーに形成する照射野形成装置と、該照射野形成装置を上記案内手段ごと上記患者のまわりに回転させる回転手段とを備えた放射線治療装置において、上記照射野形成装置のマルチリーフコリメータは、放射線ビームの出射側に外側に向かって斜めに突き合うと共にＶ字断面形状となるように積層配置された複数対のリーフと、各リーフ対が互いに離れる方向に移動できるように案内する複数対のガイドと、各リーフをそれぞれ個別に移動させて患者の患部の形状に合わせた開口部を形成するためのリーフ移動手段とを備えたことを特徴とする放射線治療装置。
【請求項４】
上記リーフ対の外側に、上記リーフ対に沿ってＶ字断面形状となると共に上記リーフ対の列に対してずれるように積層配置された複数対の外側リーフと、各外側リーフ対が互いに離れる方向に移動できるように案内する複数対の外側ガイドと、各外側リーフをそれぞれ個別に移動させて上記リーフ対と共に患者の患部の形状に合わせた開口部を形成するための外側リーフ移動手段とを有する請求項３に記載の放射線治療装置。
【請求項５】
患者ベッドが少なくとも水平面内の２つの並進方向と水平面内の１つの回転方向に自由度をもち、通常は上記３つの自由度に上下方向の並進１自由度と鉛直面内の２つの回転自由度とを加えた計６自由度をもつように患者ベッド移動手段を設けた請求項３または４に記載の放射線治療装置。
【請求項６】
上記マルチリーフコリメータが上記放射線ビームの中心軸のまわりに回転するように上記照射野形成装置にマルチリーフコリメータ回転手段を設けた請求項３から５のいずれかに記載の放射線治療装置。
【発明の詳細な説明】
【０００１】
【発明の属する技術分野】
本発明は、マルチリーフコリメータ及びそれを用いた放射線治療装置に関する。
【０００２】
【従来の技術】
図５は放射線治療装置の従来例を示す概念図である。
【０００３】
同図に示す放射線治療装置は、放射線ビーム（陽子線）１を発生する発生手段としてのサイクロトロン２と、サイクロトロン２からの放射線ビーム１をベッド３上の患者４の近傍まで案内する案内手段としてのＳ字状管（直線部は省略され、曲線部のみ示されている。）５と、Ｓ字状管５の出射側に設けられ放射線ビーム１を患者４の患部４ａの形状に合わせた形状、深度、照射エネルギーの放射線ビームを形成する照射野形成装置６と、照射野形成装置６とＳ字状管５とを支持し患者４のまわりに回転面が鉛直になるように回転させるガントリと呼ばれる回転手段（図示せず。）とで構成されたものである。
【０００４】
図６（ａ）は図５に示した放射線治療装置に用いられるベッド周辺の平面図であり、図６（ｂ）は図６（ａ）に示したベッドの回転後の状態を示す図である。
【０００５】
患者４を載置するベッド３は、公知の移動手段２０により矢印Ｐ１方向に回転でき、水平方向（矢印Ｐ２、Ｐ３方向）に並進させることができるようになっている。通常はこれに加え、鉛直方向（矢印５方向）に並進させることができ、また鉛直面内で回転（矢印６、７方向）することができるようになっている。尚、矢印Ｐ４はガントリの回転方向を示す。
【０００６】
図５に示す照射野形成装置６は、二次電子モニタ９と、位置・線量モニタ１０と、電磁石からなりビームをＸ軸方向に走査するワブラーＸ１１と、鉛からなりビーム１の強度分布を広げる散乱体１２と、電磁石からなりビーム１をＹ軸方向に走査するワブラーＹ１３と、第一固定コリメータ１４と、けんざん状に形成されブラッグピークを拡大させるリッジフィルタ１５と、積層されたアクリル板からなりビーム１の体内深度を決定するファインデグレータ１６と、ビーム１の照射方向を補正するアライメントシステム１７と、第二固定コリメータ１８と、ビーム１の断面形状を患者４の患部の形状に合わせるためのマルチリーフコリメータ１９とで構成されている。
【０００７】
図７はＳ字状管から出射した直後のビームの強度を示す強度分布図であり、図８はＳ字状管からのビームが散乱体を透過した後のビームの強度を示す強度分布図である。図７、８において横軸が位置を示し、縦軸がビーム強度を示す。図９は図７に示した強度分布特性を有するビームを両ワブラー及び散乱体で加工した後のビーム強度分布を立体的に示す図である。
【０００８】
図５に示す照射野形成装置６では、ワブラーＸ１１及びワブラーＹ１３を同一振幅で位相９０度ずらして図７に示すような分布特性を有するビームを正弦波で走査すると、ビームの照射面がリサジュー曲線、すなわち円を描くので、その照射面におけるビーム強度分布が略円筒状となる。このような円筒状の強度分布を有するビームが散乱体１２を透過すると、「円筒」の側壁の断面が図８のように拡がり、全体として図９に示すような円筒の裾野が広がったカルデラ状の強度分布が得られる。両ワブラー１１、１３の振幅を変えて異なる径の「カルデラ」を重ねることにより、略円盤状の均一な照射野が形成されるようになっている。
【０００９】
このような略円盤状の照射野を有する放射線ビームがマルチリーフコリメータを通過すると患部４ａの外形に略等しい断面形状の放射線ビームとなる。
【００１０】
図１０は図５に示した放射線治療装置の照射野形成装置に用いられるマルチリーフコリメータの従来例を示す断面図である。図１１は図１０に示したマルチリーフコリメータに用いられるリーフ移動手段の拡大断面図である。
【００１１】
図１０に示すマルチリーフコリメータ１９は、放射線出射部に矢印Ｐ５方向に出射される放射線を覆うように対向すると共に、（図面に対して垂直な方向）に積層配置された複数対のリーフ２１ａ、２１ｂと、リーフ２１ａ、２１ｂの外側（図では下側）にリーフ２１ａ、２１ｂを覆うように配置された複数対のリーフ２２ａ、２２ｂと、各リーフ２２ａ、２２ｂが互いに離れる方向（矢印Ｐ６、Ｐ７）に移動できるように案内する複数対のガイド２５ａ、２５ｂ、２６ａ、２６ｂ、２７ａ、２７ｂと、各リーフ２１ａ、２１ｂ、２２ａ、２２ｂをそれぞれ個別に移動させて患者４の患部４ａの形状に合わせた照射野を形成するためのリーフ移動手段２３ａ、２３ｂ、２４ａ、２４ｂとで構成されている。
【００１２】
図では内側（この場合上側）のリーフ２１ａ、２１ｂが閉じ、外側（この場合下側）のリーフ対２２ａ、２２ｂが開いた状態を示している。
【００１３】
図１１に示すリーフ移動手段２３ａは、モータ２８と、モータ２８の出力軸に連結されたカップリング２９と、一端（図では右側）がカップリング２９に連結され残りがリーフ２１ａの孔３０に挿入された送りネジ３１と、送りネジ３１に螺合すると共にリーフ２１ａに固定されたナット３２とで構成されている。他のリーフ移動手段２３ｂ、２４ａ、２４ｂもリーフ移動手段２３ａと同様の構造を有している。尚、３３はベアリングである。
【００１４】
【発明が解決しようとする課題】
ところで、上述した従来の放射線治療装置は、各リーフ２１ａ、２１ｂ、２２ａ、２２ｂを放射線ビームの中心軸Ｐ５に対して直交する方向にスライドさせるため、各リーフ２１ａ、２１ｂ、２２ａ、２２ｂが形成するコリメート先端の外径が大きくなり、図１２に示すように患者４の背丈方向に対して斜めから放射線ビームを照射して治療を行う際にマルチリーフコリメータ１９と患者４とが干渉するため、マルチリーフコリメータ１９の傾斜角度を大きくとることができなかった。またマルチリーフコリメータ１９と患部４との間の距離Ｌａが長くなるので、放射線ビームが拡がって患部４ａにおける照射野の輪郭がぼやけてしまい十分な治療を行うことができなかったという問題があった。
【００１５】
尚、図１２は図６に示したマルチリーフコリメータと患者との位置関係を示す説明図である。
【００１６】
そこで、本発明の目的は、上記課題を解決し、患部における放射線ビームの輪郭の精度が高いマルチリーフコリメータ及びそれを用いた放射線治療装置を提供することにある。
【００１７】
【課題を解決するための手段】
上記目的を達成するために請求項１の発明は、放射線治療装置の照射野形成装置に用いられるマルチリーフコリメータにおいて、照射野形成装置の放射線ビームの出射側に外側に向かって斜めに突き合うと共にＶ字断面形状となるように積層配置された複数対のリーフと、各リーフ対が互いに離れる方向に移動できるように案内する複数対のガイドと、各リーフをそれぞれ個別に移動させて患者の患部の形状に合わせた開口部を形成するためのリーフ移動手段とを備えたものである。
【００１８】
請求項２の発明は、請求項１に記載の構成に加え、リーフ対の外側に、リーフ対に沿ってＶ字断面形状となると共にリーフ対の列に対してずれるように積層配置された複数対の外側リーフと、各外側リーフ対が互いに離れる方向に移動できるように案内する複数対の外側ガイドと、各外側リーフをそれぞれ個別に移動させてリーフ対と共に患者の患部の形状に合わせた開口部を形成するための外側リーフ移動手段とを有するのが好ましい。
【００１９】
請求項３の発明は、放射線ビームを発生する発生手段と、発生手段からの放射線ビームを患者の近傍まで案内する案内手段と、案内手段の出射側に設けられ放射線ビームを患者の患部の形状に合わせた形状、深度、照射エネルギーに形成する照射野形成装置と、照射野形成装置を案内手段ごと患者のまわりに回転させる回転手段とを備えた放射線治療装置において、照射野形成装置のマルチリーフコリメータは、放射線ビームの出射側に外側に向かって斜めに突き合うと共にＶ字断面形状となるように積層配置された複数対のリーフと、各リーフ対が互いに離れる方向に移動できるように案内する複数対のガイドと、各リーフをそれぞれ個別に移動させて患者の患部の形状に合わせた開口部を形成するためのリーフ移動手段とを備えものである。
【００２０】
請求項４の発明は、請求項３に記載の構成に加え、リーフ対の外側に、リーフ対に沿ってＶ字断面形状となると共にリーフ対の列に対してずれるように積層配置された複数対の外側リーフと、各外側リーフ対が互いに離れる方向に移動できるように案内する複数対の外側ガイドと、各外側リーフをそれぞれ個別に移動させてリーフ対と共に患者の患部の形状に合わせた開口部を形成するための外側リーフ移動手段とを有するのが好ましい。
【００２１】
請求項５の発明は、請求項３または４に記載の構成に加え、患者ベッドが少なくとも水平面内の２つの並進方向と水平面内の１つの回転方向に自由度をもち、通常は３つの自由度に上下方向の並進１自由度と鉛直面内の２つの回転自由度とを加えた計６自由度をもつように患者ベッド移動手段を設けるのが好ましい。
【００２２】
請求項６の発明は、請求項３から５のいずれかに記載の構成に加え、マルチリーフコリメータが放射線ビームの中心軸のまわりに回転するように照射野形成装置にマルチリーフコリメータ回転手段を設けるのが好ましい。
【００２３】
本発明によれば、各リーフ対が閉じたときにＶ字断面形状になるように配置されているので、マルチリーフコリメータの先端部が略切妻型屋根形状となり、マルチリーフコリメータ自体を傾斜配置してもマルチリーフコリメータと患者とが干渉することが少なくなり、その分だけより患部に接近することができる。この結果、マルチリーフコリメータと患部との間の距離が従来より短くなるので、放射線ビームの拡がりによる輪郭のぼやけが少なくなり、その分だけ患部における放射線ビームの形状の精度が向上する。
【００２４】
リーフ対の外側に、リーフ対に対して外側リーフ対をずらして配置することにより、開口部の形状をより精密に患部の形状に合わせることができると共に、リーフ対の隙間が外側リーフ対で覆われて放射線ビームの遮蔽性が向上するので、患部以外の正常な臓器等への放射線の照射量を減少させることができる。
【００２５】
マルチリーフコリメータ回転手段でマルチリーフコリメータを放射線ビームの中心軸のまわりに回転させることにより、複雑な形状の患部に対してもより正確に形状を形成することができ、放射線ビームを効果的に患部に照射することができる。
【００２６】
【発明の実施の形態】
以下、本発明の実施の形態を添付図面に基づいて詳述する。尚、従来例と同様の部材には共通の符号を用いた。
【００２７】
図２は本発明のマルチリーフコリメータを用いた放射線治療装置の一実施の形態を示す概念図である。
【００２８】
図２に示す放射線治療装置は、放射線ビーム１を発生するサイクロトロン２と、サイクロトロン２からの放射線ビーム１を患者４の近傍まで案内するＳ字状管５と、Ｓ字状管５の出射側に設けられ放射線ビーム１を患者４の患部４ａの形状に合わせた形状、深度、照射エネルギーの放射線ビームを形成する照射野形成装置４１０と、照射野形成装置４１０をＳ字状管５ごと患者４のまわりに回転面が鉛直になるように回転させる回転手段（図示せず。）と、患者４を寝かせるための患者ベッド３と、患者ベッド３を少なくとも水平面内の２つの並進方向と水平面内の回転方向に移動させ、通常はこれら３つの動きに上下方向の並進と、鉛直面内での２つの回転方向との計６自由度をもつ患者ベッド移動手段２０とで構成されたものである。尚、４１０ｂは後述するマルチリーフコリメータ回転手段である。
【００２９】
図１は図２に示した放射線治療装置に用いられる本発明のマルチリーフコリメータの一実施の形態を示す断面図である。
【００３０】
図１０に示したマルチリーフコリメータとの主な相違点は、各リーフ対４１ａ、４１ｂ、４２ａ、４２ｂが略Ｖ字断面形状になるように積層配置されている点である。
【００３１】
図１に示すマルチリーフコリメータは、放射線ビーム（矢印Ｐ６）の出射側に外側（図では下側）に向かって斜めに突き合うようと共にＶ字断面形状となるように（紙面に垂直な方向に）積層配置された複数対のリーフ４１ａ、４１ｂと、リーフ４１ａ、４１ｂの外側にリーフ４１ａ、４１ｂを覆うように配置された複数対の外側リーフ（以下「リーフ」という。）４２ａ、４２ｂと、各リーフ４１ａ、４１ｂ、４２ａ、４２ｂが互いに離れる方向（矢印Ｐ７、Ｐ８方向）に移動できるように案内する複数対の外側ガイド（以下「ガイド」という。）４３ａ、４３ｂ、４４ａ、４４ｂ、４５ａ、４５ｂと、各リーフ４１ａ、４１ｂ、４２ａ、４２ｂをそれぞれ個別に移動させて患者４の患部４ａの形状に合わせた開口部を形成するためのリーフ移動手段４６ａ、４６ｂ及び外側リーフ移動手段（以下「リーフ移動手段」という。）４７ａ、４７ｂとで構成されている。
【００３２】
各リーフ対４１ａ、４１ｂ、４２ａ、４２ｂの先端はリーフ対４１ａ、４１ｂ、４２ａ、４２ｂが閉じたときに各リーフ対４１ａ、４１ｂ、４２ａ、４２ｂの間に隙間が生じることがないように斜めに形成されている。
【００３３】
図では内側（図では上側）のリーフ対４１ａ、４１ｂが開いた状態を示し、外側（この場合下側）のリーフ対４２ａ、４２ｂが閉じた状態を示している。
【００３４】
リーフ４１ａ、４１ｂ、４２ａ、４２ｂは内側と外側との２層構造となっており、かつ、外側のリーフ対４２ａ、４２ｂ列が内側のリーフ対４２ａ、４２ｂ列に対して例えば半ピッチずらして配置されている。このため、内側のリーフ対４１ａ、４１ｂの積層方向（紙面に垂直な方向）の隙間が外側のリーフ対４２ａ、４２ｂで覆われるので、放射線ビームの遮蔽性が向上する。
【００３５】
また、内側のリーフ対４１ａ、４１ｂと、外側のリーフ対４２ａ、４２ｂとがずれて配置されていることにより、照射野の形状をより精密に患部４ｂの形状に合わせることができ、患部４ａ以外の正常な臓器等への放射線ビームの照射量を低減することができる。
【００３６】
リーフ移動手段４６ａは、図１１に示したリーフ移動手段２３ａと同様に、モータ４８と、モータ４８の出力軸に連結されたカップリング（図示省略）と、一端がカップリングに連結され、残りがリーフ４１ａの孔４９ａに挿入された送りネジ５０ａと、送りネジ５０ａに螺合すると共にリーフ４１ａの一端に固定されたナット５１ａとで構成されている。
【００３７】
他のリーフ移動手段４６ｂ、４７ａ、４７ｂもリーフ移動手段４６ａと同様の構造に、モータ４８ｂ、５２ａ、５２ｂ、カップリング（図示省略）、孔４９ｂ、５３ａ、５３ｂ内に挿入された送りネジ５０ｂ、５４ａ、５４ｂ及びナット５１ｂ、５５ａ、５５ｂで構成されている（図では４組だけしかリーフ移動手段が示されていないが、紙面に垂直な方向にそれぞれ複数組構成されている。）。
【００３８】
図３（ａ）は図１に示したマルチリーフコリメータを回転させるマルチリーフコリメータ回転手段の平面透視図であり、図３（ｂ）は図３（ａ）の３ｂ−３ｂ線断面図である。
【００３９】
マルチリーフコリメータ回転手段４１０ｂは、照射野形成装置本体４１０ａに固定される略リング状の固定側プレート５６と、固定側プレート５６にベアリング５７を介して連結され、マルチリーフコリメータ（二点鎖線で示す）４０が取り付けられた略フランジ状の可動側プレート（右上がりハッチングで示す）５８と、固定側プレート５６に設けられた円弧状のギヤ（セクタギヤ：従動ギヤ）５９と、このギヤ５９と噛み合うピニオンギヤ（駆動ギヤ）６０を有し、可動側プレート５８を回動させるモータ６１とで構成されている。尚、６２は固定側プレート５６を照射野形成装置本体４１０ａに固定するためのボルトである。
【００４０】
モータ６１が作動するとピニオンギヤ６０が回転し、その回転がギヤ５９に伝達されて可動側プレート５８が回動する。可動側プレート５８が回動することによりマルチリーフコリメータ４０が二点鎖線Ｌ１で示す位置から二点鎖線Ｌ２で示す位置に向かって回動するようになっている。尚、マルチリーフコリメータ４０が９０度以上回動しないように図示しないリミッタ機構で制限されるようになっている。
【００４１】
次に本発明のマルチリーフコリメータの作用について説明する。
【００４２】
図１に示したマルチリーフコリメータ４０の各リーフ移動手段４６ａ、４６ｂ、４７ａ、４７ｂが図示しない制御手段（例えばマイクロコンピュータ）からの信号に応じて作動すると、モータ４８ａ、４８ｂ、５２ａ、５２ｂが必要な回転数だけ回転し、その回転がカップリングを介して送りネジ５０ａ、５０ｂ、５４ａ、５４ｂに伝達される。送りネジ５０ａ、５０ｂ、５４ａ、５４ｂが回転すると、送りネジ５０ａ、５０ｂ、５４ａ、５４ｂに螺合したナット５１ａ、５１ｂ、５５ａ、５５ｂがリーフ４１ａ、４１ｂ、４２ａ、４２ｂをモータ４８ａ、４８ｂ、５２ａ、５２ｂから離れる方向（リーフ４１ａ、４１ｂ、４２ａ、４２ｂが閉じる方向）か、あるいはモータ４８ａ、４８ｂ、５２ａ、５２ｂに近づく方向（リーフ４１ａ、４１ｂ、４２ａ、４２ｂが開く方向）に移動する。リーフ４１ａ、４１ｂ、４２ａ、４２ｂの移動距離は図示しない制御手段により制御されて患部４ａの形状に応じた開口部が形成される。
【００４３】
各リーフ対４１ａ、４１ｂ、４２ａ、４２ｂは閉じたときにＶ字断面形状になるように配置されているので、マルチリーフコリメータ４０自体を傾斜配置してもマルチリーフコリメータ４０と患者４とが干渉することが少なくなり、その分だけより患者４に接近することができる。この結果、マルチリーフコリメータ４０と患部４ａとの間の距離が従来例より短くなるので、放射線ビームの拡がりによる照射野の輪郭のぼけが少なくなり、その分だけ患部４ａにおける放射線ビームの形状の精度が向上する。
【００４４】
また、リーフ対４１ａ、４１ｂの外側にリーフ対４１ａ、４１ｂ間の隙間を覆うように外側リーフ対４２ａ、４２ｂをずらして配置することにより、開口部の形状をより精密に患部４ａの形状に合わせることができると共に放射線ビームの遮蔽性が向上するので、患部４ａ以外の正常な臓器等への放射線ビームの照射量を減少させることができる。
【００４５】
さらに、マルチリーフコリメータ４０を放射線ビームの中心軸のまわりに回転させることにより、患者４とマルチリーフコリメータ４０とが干渉することを回避することができ両者間の距離を最小限にすることができる。
【００４６】
図４は本発明のマルチリーフコリメータと患部との位置関係を示す図である。
【００４７】
同図より患部４ａとマルチリーフコリメータ４０との間の距離Ｌｂが図１２に示した従来のマルチリーフコリメータを用いた場合の両者間の距離Ｌａより短くなっていることが分かる。
【００４８】
このようなマルチリーフコリメータを用いて放射線治療装置を構成することにより、患部４ａへの放射線ビームが効率的に照射され、患部４ａ以外の正常な臓器等への放射線ビームの照射量が低減され、効果的な治療を施すことができる。
【００４９】
【発明の効果】
以上要するに本発明によれば、患部における放射線ビームの輪郭の精度が高いマルチリーフコリメータ及びそれを用いた放射線治療装置の提供を実現することができる。
【図面の簡単な説明】
【図１】図２に示した放射線治療装置に用いられる本発明のマルチリーフコリメータの一実施の形態を示す断面図である。
【図２】本発明のマルチリーフコリメータを用いた放射線治療装置の一実施の形態を示す概念図である。
【図３】（ａ）は図１に示したマルチリーフコリメータを回転させるマルチリーフコリメータ回転手段の平面透視図であり、（ｂ）は（ａ）の３ｂ−３ｂ線断面図である。
【図４】本発明のマルチリーフコリメータと患部との位置関係を示す図である。
【図５】放射線治療装置の概念図である。
【図６】（ａ）は図５に示した放射線治療装置に用いられるベッド周辺の平面図であり、（ｂ）は（ａ）に示したベッドの回転後の状態を示す図である。
【図７】Ｓ字状管から出射した直後のビームの強度を示す強度分布図である。
【図８】Ｓ字状管からのビームが散乱体を透過した後のビームの強度を示す強度分布図である。
【図９】図７に示した強度分布特性を有するビームを両ワブラー及び散乱体で加工した後のビーム強度分布を立体的に示す図である。
【図１０】図５に示した放射線治療装置の照射野形成装置に用いられるマルチリーフコリメータの従来例を示す断面図である。
【図１１】図１０に示したマルチリーフコリメータに用いられるリーフ移動手段の拡大断面図である。
【図１２】図６に示したマルチリーフコリメータと患者との位置関係を示す説明図である。
【符号の説明】
４０　マルチリーフコリメータ
４１ａ、４１ｂ、４２ａ、４２ｂ　リーフ（リーフ対）
４３ａ、４３ｂ、４４ａ、４４ｂ、４５ａ、４５ｂ　ガイド
４６ａ、４６ｂ、４７ａ、４７ｂ　リーフ移動手段
【図１】
2004016563.tif 000003
【図２】
2004016563.tif 000004
【図３】
2004016563.tif 000005
【図４】
2004016563.tif 000006
【図５】
2004016563.tif 000007
【図６】
2004016563.tif 000008
【図７】
2004016563.tif 000009
【図８】
2004016563.tif 000010
【図９】
2004016563.tif 000011
【図１０】
2004016563.tif 000012
【図１１】
2004016563.tif 000013
【図１２】
2004016563.tif 000014